(57)【要約】【課題】交通機関への乗降の手続きをきっかけとして、交通機関への乗車時の、端末装置の使用のマナーを向上させる。【解決手段】通信部（２０）と制御部（１０）とを備え、マナーモードのオンオフが設定可能な携帯端末装置（１）であって、通信部（２０）は、交通機関への乗車手続き又は乗降車領域への入場手続きを行った旨の信号である乗車信号を受信し、制御部（１０）は、通信部（２０）が乗車信号を受信した場合に、携帯端末装置（１）においてマナーモードがオンに設定されているのか否かを判定する第１の判定処理を行い、第１の判定処理において、マナーモードがオンに設定されていないと判定した場合に、マナーモードをオンの状態に設定する。【選択図】図２
2018129687.tif 000002
【特許請求の範囲】
【請求項１】
受信部と制御部とを備え、マナーモードのオンオフが設定可能な端末装置であって、
上記受信部は、交通機関への乗車手続き又は乗降車領域への入場手続きを行った旨の信号である乗車信号を受信し、
上記制御部は、
上記受信部が上記乗車信号を受信した場合に、当該端末装置においてマナーモードがオンに設定されているのか否かを判定する第１の判定処理を行い、
上記第１の判定処理において、マナーモードがオンに設定されていないと判定した場合に、マナーモードをオンの状態に設定する
ことを特徴とする端末装置。
【請求項２】
上記制御部は、上記第１の判定処理においてマナーモードがオンに設定されていると判定した場合に、マナーモードの状態を変更しない
ことを特徴とする請求項１に記載の端末装置。
【請求項３】
上記受信部は、交通機関からの降車手続き又は乗降車領域からの退場手続きを行った旨の信号である降車信号を受信し、
上記制御部は、
上記受信部が上記降車信号を受信した場合に、当該端末装置においてマナーモードがオンに設定されているのか否かを判定する第２の判定処理を行い、
上記第２の判定処理において、マナーモードがオンに設定されていると判定した場合に、更に、当該交通機関への乗車手続き又は乗降車領域への入場手続きを行う前に、当該端末装置においてマナーモードがオンに設定されているのか否かを判定する第３の判定処理を行い、
上記第３の判定処理において、マナーモードがオンに設定されていなかったと判定した場合に、マナーモードをオフに設定する
ことを特徴とする請求項１または２に記載の端末装置。
【請求項４】
受信部と制御部とを備え、マナーモードのオンオフが設定可能な端末装置であって、
上記受信部は、交通機関からの降車手続き又は乗降車領域からの退場手続きを行った旨の信号である降車信号を受信し、
上記制御部は、
上記受信部が上記降車信号を受信した場合に、当該端末装置においてマナーモードがオンに設定されているのか否かを判定する第１の判定処理を行い、
上記第１の判定処理において、マナーモードがオンに設定されていると判定した場合に、更に、当該交通機関への乗車手続き又は乗降車領域への入場手続きを行う前に、当該端末装置においてマナーモードがオンに設定されているのか否かを判定する第２の判定処理を行い、
上記第２の判定処理において、マナーモードがオンに設定されていなかったと判定した場合に、マナーモードをオフに設定する
ことを特徴とする端末装置。
【請求項５】
上記制御部は、
上記第１の判定処理において、マナーモードがオンに設定されていないと判定した場合、又は
上記第２の判定処理において、マナーモードがオンに設定されていたと判定した場合に、
マナーモードの状態を変更しない
ことを特徴とする請求項４に記載の端末装置。
【請求項６】
受信部と制御部とを備え、マナーモードのオンオフが設定可能な端末装置であって、
上記制御部は、
交通機関への乗降時に適応的にマナーモードを変更する第１のモード、及び交通機関への乗降時にマナーモードを変更しない第２のモードの何れかを選択し、
上記第１のモードが選択された場合、
上記受信部が交通機関への乗車手続き又は乗降車領域への入場手続きを行った旨の信号である乗車信号を受信した場合に、当該端末装置においてマナーモードがオンに設定されているのか否かを判定する第１の判定処理を行い、
上記第１の判定処理において、マナーモードがオンに設定されていないと判定した場合に、マナーモードをオンの状態に設定する
ことを特徴とする端末装置。
【請求項７】
上記制御部は、ユーザからの選択操作に応じて、上記第１のモード及び上記第２のモードの何れかを選択する
ことを特徴とする請求項６に記載の端末装置。
【請求項８】
上記制御部は、当該端末装置の位置情報を参照して、上記第１のモード及び上記第２のモードの何れかを選択する
ことを特徴とする請求項６に記載の端末装置。
【請求項９】
受信部と制御部とを備え、マナーモードのオンオフが設定可能な端末装置であって、
上記制御部は、
交通機関への乗降時に適応的にマナーモードを変更する第１のモード、及び交通機関への乗降時にマナーモードを変更しない第２のモードの何れかを選択し、
上記第１のモードが選択された場合、
上記受信部が交通機関からの降車手続き又は乗降車領域からの退場手続きを行った旨の信号である降車信号を受信した場合に、当該端末装置においてマナーモードがオンに設定されているのか否かを判定する第１の判定処理を行い、
上記第１の判定処理において、マナーモードがオンに設定されていると判定した場合に、更に、当該交通機関への乗車手続き又は乗降車領域への入場手続きを行う前に、当該端末装置においてマナーモードがオンに設定されているのか否かを判定する第２の判定処理を行い、
上記第２の判定処理において、マナーモードがオンに設定されていなかったと判定した場合に、マナーモードをオフに設定する
ことを特徴とする端末装置。
【請求項１０】
上記制御部は、ユーザからの選択操作に応じて、上記第１のモード及び上記第２のモードの何れかを選択する
ことを特徴とする請求項９に記載の端末装置。
【請求項１１】
上記制御部は、当該端末装置の位置情報を参照して、上記第１のモード及び上記第２のモードの何れかを選択する
ことを特徴とする請求項９に記載の端末装置。
【請求項１２】
端末装置から、マナーモード、地域設定、年齢、職業、性別、及び住所の少なくとも何れかに関する情報を取得する取得部と、
上記取得部が取得した情報に応じて、表示部に表示する表示内容を決定する表示内容決定部と
を備えていることを特徴とする表示制御装置。
【請求項１３】
交通機関への乗降手続きまたは乗降車領域への入退場手続きを行う手続装置から、当該乗降手続きまたは入退場手続きを行った端末装置が保持する情報を取得する取得部と、
上記取得部が取得した情報に応じて、表示部に表示する表示内容を決定する表示内容決定部と
を備えていることを特徴とする表示制御装置。
【請求項１４】
上記表示内容決定部は、上記取得部が所定の期間に取得した情報を集計した結果に応じて、表示部に表示する表示内容を決定する
ことを特徴とする請求項１２または１３に記載の表示制御装置。
【請求項１５】
交通機関への乗降手続きまたは乗降車領域への入退場手続きを行う手続装置に対して、当該端末装置が保持する情報のうち、提供可能な情報を、ユーザからの指示に応じて選択する選択部と、
上記選択部が選択した提供可能な情報を、上記手続装置に提供する提供部と
を備えていることを特徴とする端末装置。
【請求項１６】
端末装置にチャージを行うチャージ装置から、当該端末装置にチャージされた金額を示す情報を受信する受信部と、
上記チャージ装置から受信した上記チャージされた金額を示す情報に応じて、記憶部に記憶される当該端末装置が使用可能な金額を示す情報を更新する更新部と
を備えていることを特徴とする端末装置。
【請求項１７】
交通機関への乗降手続きまたは乗降車領域への入退場手続きを行う手続装置から、課金の金額を示す情報を受信する受信部と、
端末装置にチャージされた金額を示す情報、および上記手続装置から受信した上記課金の金額を示す情報に応じて、記憶部に記憶される当該端末装置が使用可能な金額を示す情報を更新する更新部と
を備えていることを特徴とする端末装置。
【請求項１８】
請求項１〜１１の何れか１項に記載の端末装置としてコンピュータを機能させるための制御プログラムであって、上記受信部、および上記制御部としてコンピュータを機能させるための制御プログラム。
【請求項１９】
請求項１２〜１４の何れか１項に記載の表示制御装置としてコンピュータを機能させるための表示制御プログラムであって、上記取得部、および上記表示内容決定部としてコンピュータを機能させるための表示制御プログラム。
【請求項２０】
請求項１５に記載の端末装置としてコンピュータを機能させるための制御プログラムであって、上記選択部、および上記提供部としてコンピュータを機能させるための制御プログラム。
【請求項２１】
請求項１６または１７に記載の端末装置としてコンピュータを機能させるための制御プログラムであって、上記受信部、および上記更新部としてコンピュータを機能させるための制御プログラム。
【請求項２２】
請求項１８、２０、または２１に記載の制御プログラムを記録したコンピュータ読み取り可能な記録媒体。
【請求項２３】
請求項１９に記載の表示制御プログラムを記録したコンピュータ読み取り可能な記録媒体。
【発明の詳細な説明】
【技術分野】
【０００１】
本発明は端末装置、表示制御装置、制御プログラム、表示制御プログラム、および記録媒体に関する。
【背景技術】
【０００２】
電車やバス等の交通機関への乗車中は、マナーを考慮して、携帯電話等の端末装置を使用することが望まれる。しかし、交通機関への乗車中に、マナーを考慮せずに端末装置が使用されている場合がある。
【０００３】
端末装置の使用のマナーに関係する技術として、端末装置の使用が自動的に制限される技術（特許文献１）、外部から「マナー設定」のモード切り換え無線信号を受信すると、自動的に端末装置がマナーモードに設定される技術（特許文献２）、端末装置を自動的にマナーモード、または電波放射禁止状態に設定する技術（特許文献３）が開示されている。
【０００４】
また、交通機関のユーザに、複数種類の案内情報の提供を行う技術（特許文献４）が開示されている。
【先行技術文献】
【特許文献】
【０００５】
【特許文献１】特開２００３−３０９６４２号公報（２００３年１０月３１日公開）
【特許文献２】特開２０００−３２４５５４号公報（２０００年１１月２４日公開）
【特許文献３】特開２００４−４０２１３号公報（２００４年２月５日公開）
【特許文献４】特開２０１３−９１３９６号公報（２０１３年５月１６日公開）
【発明の概要】
【発明が解決しようとする課題】
【０００６】
端末装置の使用のマナーを向上させる場合、ユーザにおける交通機関を利用する意思、すなわちユーザが交通機関への乗降の手続きを行ったことをきっかけとすることが望ましい。
【０００７】
本発明の一態様が解決しようとする第１の課題は、交通機関への乗降の手続きをきっかけとして、交通機関への乗車時の、端末装置の使用のマナーを向上させることである。
【０００８】
また、交通機関のユーザに案内情報を提供する場合にも、ユーザに合った案内情報が提供されることが望ましい。
【０００９】
本発明の一態様が解決しようとする第２の課題は、交通機関のユーザに合った案内情報を提供することである。
【課題を解決するための手段】
【００１０】
上記の第１の課題を解決するために、本発明の一態様に係る端末装置は、受信部と制御部とを備え、マナーモードのオンオフが設定可能な端末装置であって、上記受信部は、交通機関への乗車手続き又は乗降車領域への入場手続きを行った旨の信号である乗車信号を受信し、上記制御部は、上記受信部が上記乗車信号を受信した場合に、当該端末装置においてマナーモードがオンに設定されているのか否かを判定する第１の判定処理を行い、上記第１の判定処理において、マナーモードがオンに設定されていないと判定した場合に、マナーモードをオンの状態に設定する。
【００１１】
上記の第１の課題を解決するために、本発明の一態様に係る端末装置は、受信部と制御部とを備え、マナーモードのオンオフが設定可能な端末装置であって、上記受信部は、交通機関からの降車手続き又は乗降車領域からの退場手続きを行った旨の信号である降車信号を受信し、上記制御部は、上記受信部が上記降車信号を受信した場合に、当該端末装置においてマナーモードがオンに設定されているのか否かを判定する第１の判定処理を行い、上記第１の判定処理において、マナーモードがオンに設定されていると判定した場合に、更に、当該交通機関への乗車手続き又は乗降車領域への入場手続きを行う前に、当該端末装置においてマナーモードがオンに設定されているのか否かを判定する第２の判定処理を行い、上記第２の判定処理において、マナーモードがオンに設定されていなかったと判定した場合に、マナーモードをオフに設定する。
【００１２】
上記の第１の課題を解決するために、本発明の一態様に係る端末装置は、受信部と制御部とを備え、マナーモードのオンオフが設定可能な端末装置であって、上記制御部は、交通機関への乗降時に適応的にマナーモードを変更する第１のモード、及び交通機関への乗降時にマナーモードを変更しない第２のモードの何れかを選択し、上記第１のモードが選択された場合、上記受信部が交通機関への乗車手続き又は乗降車領域への入場手続きを行った旨の信号である乗車信号を受信した場合に、当該端末装置においてマナーモードがオンに設定されているのか否かを判定する第１の判定処理を行い、上記第１の判定処理において、マナーモードがオンに設定されていないと判定した場合に、マナーモードをオンの状態に設定する。
【００１３】
上記の第１の課題を解決するために、本発明の一態様に係る端末装置は、受信部と制御部とを備え、マナーモードのオンオフが設定可能な端末装置であって、上記制御部は、交通機関への乗降時に適応的にマナーモードを変更する第１のモード、及び交通機関への乗降時にマナーモードを変更しない第２のモードの何れかを選択し、上記第１のモードが選択された場合、上記受信部が交通機関からの降車手続き又は乗降車領域からの退場手続きを行った旨の信号である降車信号を受信した場合に、当該端末装置においてマナーモードがオンに設定されているのか否かを判定する第１の判定処理を行い、上記第１の判定処理において、マナーモードがオンに設定されていると判定した場合に、更に、当該交通機関への乗車手続き又は乗降車領域への入場手続きを行う前に、当該端末装置においてマナーモードがオンに設定されているのか否かを判定する第２の判定処理を行い、上記第２の判定処理において、マナーモードがオンに設定されていなかったと判定した場合に、マナーモードをオフに設定する。
【００１４】
上記の第２の課題を解決するために、本発明の一態様に係る表示制御装置は、端末装置から、マナーモード、地域設定、年齢、職業、性別、及び住所の少なくとも何れかに関する情報を取得する取得部と、上記取得部が取得した情報に応じて、表示部に表示する表示内容を決定する表示内容決定部とを備えている。
【００１５】
上記の第２の課題を解決するために、本発明の一態様に係る表示制御装置は、交通機関への乗降手続きまたは乗降車領域への入退場手続きを行う手続装置から、当該乗降手続き又は入退場手続きを行った端末装置が保持する情報を取得する取得部と、上記取得部が取得した情報に応じて、表示部に表示する表示内容を決定する表示内容決定部とを備えている。
【００１６】
上記の第２の課題を解決するために、本発明の一態様に係る端末装置は、交通機関への乗降手続きまたは乗降車領域への入退場手続きを行う手続装置に対して、当該端末装置が保持する情報のうち、提供可能な情報を、ユーザからの指示に応じて選択する選択部と、上記選択部が選択した提供可能な情報を、上記手続装置に提供する提供部とを備えている。
【発明の効果】
【００１７】
本発明の一態様によれば、交通機関への乗降の手続きをきっかけとして、交通機関への乗車時の、端末装置の使用のマナーを向上させることができる、という第１の効果を奏する。
【００１８】
本発明の一態様によれば、交通機関のユーザに合った案内情報を提供できる、という第２の効果を奏する。
【図面の簡単な説明】
【００１９】
【図１】本発明の実施形態１に係る携帯端末装置、および改札装置を模式的に示す図である。
【図２】本発明の実施形態１に係る携帯端末装置、および改札装置の要部構成の一例を示す機能ブロック図である。
【図３】本発明の実施形態１に係る携帯端末装置が実行する入場手続きの制御の一例を示すフローチャートである。
【図４】本発明の実施形態１に係る携帯端末装置の入場手続きのシーケンスを示す図である。
【図５】本発明の実施形態１に係る携帯端末装置の入場手続きのシーケンスを示す図である。
【図６】本発明の実施形態２に係る携帯端末装置が実行する退場手続きの制御の一例を示すフローチャートである。
【図７】本発明の実施形態２に係る携帯端末装置の退場手続きのシーケンスを示す図である。
【図８】本発明の実施形態２に係る携帯端末装置の退場手続きのシーケンスを示す図である。
【図９】本発明の実施形態４に係る携帯端末装置、改札装置、および表示装置を模式的に示す図である。
【図１０】本発明の実施形態４に係る携帯端末装置、改札装置、および表示装置の要部構成の一例を示す機能ブロック図である。
【図１１】本発明の実施形態４に係る表示制御装置が実行する処理の一例を示すフローチャートである。
【図１２】本発明の実施形態４に係る携帯端末装置、および表示装置の処理のシーケンスを示す図である。
【発明を実施するための形態】
【００２０】
〔実施形態１〕
以下、本発明の実施の形態について、図１〜図５に基づいて詳細に説明する。
【００２１】
図１は、本実施形態に係る端末装置としての携帯端末装置１、および手続装置としての改札装置２を模式的に示す図である。携帯端末装置１は、スマートフォン、タブレット端末等であってよい。改札装置２は、ゲートを備えている。携帯端末装置１を携帯するユーザは、改札装置２のゲートを通過することにより、交通機関への乗車手続き、または交通機関への降車手続きをする。また、携帯端末装置１を携帯するユーザは、改札装置２のゲートを通過することにより、交通機関の乗降車領域への入場手続き、または退場手続きをする。
【００２２】
交通機関は、電車、バス、飛行機、船等を含む。すなわち、「乗車」には、電車、バス等への乗車だけでなく、飛行機への搭乗、および船への乗船等が含まれる。また、「降車」には、電車、バス等からの降車だけでなく、飛行機から降りること、および船からの下船等が含まれる。
【００２３】
なお、例えば交通機関がバスである場合等は、改札装置２はゲートを備えていなくてもよく、精算機能を備えていればよい。
【００２４】
また、図示を省略するが、改札装置２の近辺に、携帯端末装置１にチャージを行うチャージ装置が設置されていてもよい。ここで、チャージとは、入金することを指す。チャージ装置は、携帯端末装置１と情報の送受信が可能である。
【００２５】
図２は、本実施形態に係る携帯端末装置１、および改札装置２の要部構成の一例を示す機能ブロック図である。
【００２６】
携帯端末装置１は、制御部１０、通信部２０、マナーモード設定ボタン２２、モード選択ボタン２４、記憶部２６、音声出力部３０、およびバイブレーション３２を備える。
【００２７】
改札装置２は、通信部４０、および制御部４２を備える。
【００２８】
携帯端末装置１の制御部１０は、手続信号取得部１２、内部状態制御部１４、および内部状態管理部１６として機能する。
【００２９】
携帯端末装置１の通信部２０は、改札装置２の通信部４０と非接触で情報を通信する。本実施形態において、携帯端末装置１の通信部２０と改札装置２の通信部４０とは、１０ｃｍ程まで近づくと、自動的に通信することができる。携帯端末装置１の通信部２０は、改札装置２の通信部４０から、運賃精算に用いられる手続信号を受信する。本実施形態において、携帯端末装置１の通信部２０は、乗車時に、交通機関への乗車手続きまたは乗降車領域への入場手続きを行った旨の信号である乗車信号として手続信号を受信する。
【００３０】
さらに携帯端末装置１の通信部２０は、図示を省略するチャージ装置から、携帯端末装置１にチャージされた金額を示す情報を受信する。
【００３１】
マナーモード設定ボタン２２は、マナーモードのオンオフを設定するためのボタンであり、ユーザに操作される。
【００３２】
モード選択ボタン２４は、交通機関への乗降時に適応的にマナーモードを変更する第１のモード、および交通機関への乗降時にマナーモードを変更しない第２のモードの何れかを選択するためのボタンであり、ユーザに操作される。
【００３３】
記憶部２６は、データ、プログラムの格納領域であり、フラッシュメモリ等から構成される。記憶部２６は、設定情報保存領域２８を含む。
【００３４】
設定情報保存領域２８には、ユーザがマナーモード設定ボタン２２を操作することによって、マナーモードが設定された場合の設定内容（オンの状態、またはオフの状態）を示す情報が保存される。また設定情報保存領域２８には、ユーザがモード選択ボタン２４を操作することによって選択された選択内容（第１のモード、または第２のモード）を示す情報が保存される。
【００３５】
音声出力部３０は、スピーカー、およびレシーバーを含む。音声出力部３０は、携帯端末装置１が、通話等を着信した場合に、着信音の出力をする。
【００３６】
バイブレーション３２は、携帯端末装置１を振動させる。バイブレーション３２は、マナーモードがオフに設定されている場合に、通話等が着信すると、動作する。
【００３７】
手続信号取得部１２は、通信部２０から手続信号を取得する。
【００３８】
内部状態制御部１４は、携帯端末装置１の内部状態を制御する。内部状態制御部１４は、手続信号取得部１２が取得した手続信号に応じて、内部状態管理部１６と情報を授受する。内部状態制御部１４は、マナーモード設定ボタン２２、およびモード選択ボタン２４が操作されると、操作に応じて設定情報保存領域２８に設定情報を保存させる。
【００３９】
内部状態管理部１６は、内部状態制御部１４に制御され、マナーモードのオンオフ状態を切り替える。具体的には、内部状態管理部１６は、音声出力部３０からの着信音の出力のオンの状態とオフの状態とを切り替えたり、バイブレーション３２の動作のオンの状態とオフ状態とを切り替えたりする。
【００４０】
また、図示を省略するが、携帯端末装置１の制御部１０は、図示を省略するチャージ装置から受信したチャージされた金額を示す情報に応じて、記憶部２６に記憶される携帯端末装置１が使用可能な金額を示す情報を更新する更新部として機能する。
【００４１】
改札装置２の制御部４２は、改札装置２の各部を制御し、特に携帯端末装置１との情報の送受信を制御する。
【００４２】
続いて、図３〜５を参照して、本実施形態に係る携帯端末装置１における入場手続きの制御を説明する。図３〜５に示す例においては、交通機関への乗降時に適応的にマナーモードを変更する第１のモードが選択されている。
【００４３】
図３は、本実施形態に係る携帯端末装置１における入場手続きの制御の一例を説明するフローチャートである。
【００４４】
ステップＳ３０において、携帯端末装置１を携帯するユーザは、改札装置２のゲートを通過することにより、交通機関への乗車手続き、交通機関の乗降車領域への入場手続きをする。これにより、手続信号取得部１２は、携帯端末装置１の通信部２０が改札装置２の通信部４０から受信した乗車信号である手続信号を取得する。内部状態制御部１４は、手続信号取得部１２が取得した乗車信号である手続信号を受け付ける。
【００４５】
ステップＳ３２において、内部状態制御部１４は、内部状態管理部１６と情報を授受し、マナーモードがオンの状態に設定されているか否かを判定する。ステップＳ３２において内部状態制御部１４が、マナーモードはオンの状態に設定されていると判定した場合（ＹＥＳ）、ステップＳ３４に移行する。ステップＳ３２において内部状態制御部１４が、マナーモードはオンの状態に設定されていないと判定した場合（ＮＯ）、ステップＳ３６に移行する。
【００４６】
ステップＳ３４において、内部状態制御部１４は、内部状態を何ら制御しない。すなわち、内部状態制御部１４は、マナーモードのオンの状態と、オフの状態とを切り替える制御をしない。
【００４７】
ステップＳ３６において、内部状態制御部１４は、マナーモードをオンの状態に設定するよう制御する。
【００４８】
図４を参照して、マナーモードがオフの状態に設定されている場合の、入場手続きのシーケンスを説明する。
【００４９】
ステップＳ４０において、手続信号取得部１２は、入場手続きをしたことを内部状態制御部１４に通知する。
【００５０】
ステップＳ４１において、内部状態制御部１４は、内部状態管理部１６に、内部状態、すなわちマナーモードがオンの状態であるかオフの状態であるかを問い合わせる。
【００５１】
ステップＳ４２において、内部状態管理部１６は、内部状態制御部１４に、内部状態を応答する。
【００５２】
ステップＳ４３において、内部状態制御部１４は、手続信号取得部１２から受け付けた手続信号（本実施形態の場合、乗車したことを示す乗車信号）と、内部状態管理部１６から受け付けたマナーモードの状態（本シーケンスにおいてはオフの状態）とを確認する。
【００５３】
乗車中はマナーモードをオンの状態に設定すべきなので、ステップＳ４４において、内部状態制御部１４は、内部状態管理部１６に、マナーモードをオンの状態に設定するように要求する。
【００５４】
ステップＳ４５において、内部状態管理部１６は、マナーモードをオフの状態からオンの状態に切り替える。内部状態管理部１６は、音声出力部３０からの着信音の出力をオフの状態にし、バイブレーション３２の動作をオンの状態にする。
【００５５】
ステップＳ４６において、内部状態管理部１６は、内部状態制御部１４に、マナーモードをオンの状態に切り替えたことを通知し、シーケンスが終了する。
【００５６】
図５を参照して、マナーモードがオンの状態に設定されている場合の、入場手続きのシーケンスを説明する。
【００５７】
ステップＳ５０において、手続信号取得部１２は、入場手続きをしたことを内部状態制御部１４に通知する。
【００５８】
ステップＳ５２において、内部状態制御部１４は、内部状態管理部１６に、内部状態を問い合わせる。
【００５９】
ステップＳ５４において、内部状態管理部１６は、内部状態制御部１４に、内部状態を応答する。すなわち、内部状態管理部１６は、内部状態制御部１４に、マナーモードがオンの状態であるかオフの状態であるかを応答する。
【００６０】
ステップＳ５６において、内部状態制御部１４は、手続信号取得部１２から受け付けた手続信号（本実施形態の場合、乗車したことを示す乗車信号）と、内部状態管理部１６から受け付けたマナーモードの状態（本シーケンスにおいてはオンの状態）とを確認する。乗車中のあるべき状態、すなわちマナーモードがオンの状態であるので、シーケンスが終了する。
【００６１】
なお、交通機関への乗降時にマナーモードを変更しない第２のモードが選択されている場合は、制御部１０は、図３〜図５に示す制御を行わない。
【００６２】
〔実施形態２〕
本発明の他の実施形態について、図６〜８に基づいて説明すれば、以下のとおりである。なお、本実施形態に係る携帯端末装置は、実施形態１にて説明した部材と同じ機能を有する部材を備えているので、部材については、その説明を省略する。
【００６３】
図６〜８を参照して、本実施形態に係る携帯端末装置１における退場手続きの制御を説明する。図６〜８に示す例においては、交通機関への乗降時に適応的にマナーモードを変更する第１のモードが選択されている。
【００６４】
図６は、本実施形態に係る携帯端末装置１における退場手続きの制御の一例を説明するフローチャートである。
【００６５】
ステップＳ６０において、携帯端末装置１を携帯するユーザは、改札装置２のゲートを通過することにより、交通機関からの降車手続き、交通機関の乗降車領域からの退場手続きをする。これにより、手続信号取得部１２は、携帯端末装置１の通信部２０が改札装置２の通信部４０から受信した、交通機関からの降車手続き、または乗降車領域からの退場手続きを行った旨の信号である降車信号を手続信号として取得する。内部状態制御部１４は、手続信号取得部１２が取得した降車信号である手続信号を受け付ける。この手続信号には、課金の金額を示す情報が含まれていてもよい。この場合、図示を省略する更新部は、携帯端末装置１にチャージされた金額を示す情報、および改札装置２から受信した課金の金額を示す情報に応じて、記憶部２６に記憶される携帯端末装置１が使用可能な金額を示す情報を更新する。
【００６６】
ステップＳ６２において、内部状態制御部１４は、内部状態管理部１６と情報を授受し、マナーモードがオンの状態に設定されているか否かを判定する。ステップＳ６２において内部状態制御部１４が、マナーモードはオンの状態に設定されていると判定した場合（ＹＥＳ）、ステップＳ６４に移行する。ステップＳ６２において内部状態制御部１４が、マナーモードはオンの状態に設定されていないと判定した場合（ＮＯ）、ステップＳ６６に移行する。
【００６７】
ステップＳ６４において、内部状態制御部１４は、入場手続きをしたときのマナーモードがオンの状態であったか否かを判定する。ステップＳ６４において内部状態制御部１４が入場手続きをしたときのマナーモードがオンの状態であったと判定した場合（ＹＥＳ）、ステップＳ６６に移行する。ステップＳ６４において内部状態制御部１４が入場手続きをしたときのマナーモードがオンの状態でなかったと判定した場合（ＮＯ）、ステップＳ６８に移行する。
【００６８】
ステップＳ６６において、内部状態制御部１４は、内部状態を何ら制御しない。すなわち、内部状態制御部１４は、マナーモードのオンの状態と、オフの状態とを切り替える制御をしない。
【００６９】
ステップＳ６８において、内部状態制御部１４は、マナーモードをオフの状態に設定するよう制御する。
【００７０】
図７を参照して、入場手続きをしたときのマナーモードがオフの状態であった場合の、退場手続きのシーケンスを説明する。
【００７１】
ステップＳ７０において、手続信号取得部１２は、退場手続きをしたことを内部状態制御部１４に通知する。
【００７２】
ステップＳ７１において、内部状態制御部１４は、内部状態管理部１６に、内部状態を問い合わせる。
【００７３】
ステップＳ７２において、内部状態管理部１６は、内部状態制御部１４に、内部状態を応答する。
【００７４】
ステップＳ７３において、内部状態制御部１４は、手続信号取得部１２から受け付けた手続信号（本実施形態の場合、降車したことを示す降車信号）と、内部状態管理部１６から受け付けたマナーモードの状態（本シーケンスにおいてはオンの状態）とを確認する。
【００７５】
ステップＳ７４において、内部状態制御部１４は、設定情報保存領域２８から、設定情報を取得し、設定情報を参照して、入場手続きをしたときのマナーモードの状態を確認する。
【００７６】
ステップＳ７５において、内部状態制御部１４は、内部状態管理部１６に、マナーモードをオフの状態に設定するように要求する。
【００７７】
ステップＳ７６において、内部状態管理部１６は、マナーモードをオンの状態からオフの状態に切り替える。内部状態管理部１６は、音声出力部３０からの着信音の出力をオンの状態にし、バイブレーション３２の動作をオフの状態にする。
【００７８】
ステップＳ７７において、内部状態管理部１６は、内部状態制御部１４に、マナーモードをオフの状態に切り替えたことを通知し、シーケンスが終了する。
【００７９】
図８を参照して、入場手続きをしたときのマナーモードがオンの状態であった場合の、退場手続きのシーケンスを説明する。
【００８０】
ステップＳ８０において、手続信号取得部１２は、入場手続きをしたことを内部状態制御部１４に通知する。
【００８１】
ステップＳ８２において、内部状態制御部１４は、内部状態管理部１６に、内部状態、を問い合わせる。
【００８２】
ステップＳ８４において、内部状態管理部１６は、内部状態制御部１４に、内部状態を応答する。
【００８３】
ステップＳ８６において、内部状態制御部１４は、手続信号取得部１２から受け付けた手続信号（本実施形態の場合、降車したことを示す降車信号）と、内部状態管理部１６から受け付けたマナーモードの状態（本シーケンスにおいてはオンの状態）とを確認する。
【００８４】
ステップＳ８８において、内部状態制御部１４は、設定情報保存領域２８から、設定情報を取得し、設定情報を参照して、入場手続きをしたときのマナーモードの状態を確認する。退場手続きをしてときのマナーモードの状態と、入場手続きをしたときのマナーモードの状態とが同じであるため、シーケンスが終了する。
【００８５】
なお、交通機関への乗降時にマナーモードを変更しない第２のモードが選択されている場合は、制御部１０は、図６〜図８に示す制御を行わない。
【００８６】
〔実施形態３〕
本実施形態は、交通機関への乗降時に適応的にマナーモードを変更する第１のモード、および交通機関への乗降時にマナーモードを変更しない第２のモードを選択する選択方法が上記実施形態と異なる。
【００８７】
本実施形態においては、内部状態制御部１４は、改札装置２の設置されている場所に応じて、第１のモード、および第２のモードの何れかを選択する。
【００８８】
ユーザは、予めモード選択ボタン２４を操作し、第１のモードが選択される場所、または第２のモードが選択される場所を設定する。例えば、ユーザは、ある駅、ある路線、ある地域（都道府県、市区町村等）を場所として選択する。
【００８９】
例えば、携帯端末装置１は、現在地を、例えばＧＰＳを利用して測位する測位機構を備えていてもよい。手続信号取得部１２が手続信号を取得すると、内部状態制御部１４は、測位された現在地に応じて、第１のモード、および第２のモードの何れかの選択をしてもよい。
【００９０】
また、手続信号取得部１２が取得する手続信号が、改札装置２の設置されている場所の位置を示す位置情報を含んでいてもよい。手続信号取得部１２が手続信号を取得すると、内部状態制御部１４は、手続信号に含まれる位置情報を参照して、第１のモード、および第２のモードの何れかの選択をしてもよい。
【００９１】
〔実施形態４〕
本発明の他の実施形態について、図９〜図１２に基づいて説明すれば、以下のとおりである。なお、説明の便宜上、前記実施形態にて説明した部材と同じ機能を有する部材については、同じ符号を付記し、その説明を省略する。
【００９２】
図９は、本実施形態に係る携帯端末装置１’、改札装置２’、表示装置３、およびネットワーク４を模式的に示す図である。表示装置３は、駅構内において、情報ディスプレイを通じて閲覧者に広告または案内を提示する。改札装置２’と表示装置３とはネットワーク４を介して通信する。なお、図９には一台の表示装置３のみを示しているが、改札装置２’は、複数の表示装置３と通信できる。
【００９３】
図１０は、本実施形態に係る携帯端末装置１’、改札装置２’、および表示装置３の要部構成の一例を示す機能ブロック図である。
【００９４】
携帯端末装置１’は、制御部１０’、通信部２０、マナーモード設定ボタン２２、モード選択ボタン２４、記憶部２６’、音声出力部３０、バイブレーション３２、およびタッチパネル３４を備える。
【００９５】
改札装置２’は、第１の通信部４０、制御部４２、および第２の通信部４４を備える。
【００９６】
表示装置３は、表示制御装置５０、通信部６０、および表示部６２を備える。
【００９７】
携帯端末装置１’の制御部１０’は、手続信号取得部１２、内部状態制御部１４’、内部状態管理部１６、および選択部１８として機能する。
【００９８】
記憶部２６’は、設定情報保存領域２８、および個人情報保存領域２９を含む。個人情報保存領域２９は、地域設定を示す情報、年齢を示す情報、職業を示す情報、性別を示す情報、および住所を示す情報の少なくとも何れかに関する情報を保存している。
【００９９】
タッチパネル３４は、ユーザからの指示を検出するタッチセンサを含んでいる。
【０１００】
選択部１８は、改札装置２’に対して、個人情報保存領域２９が保持する情報のうち、提供可能な情報を、ユーザからの指示に応じて選択する。選択部１８は、ユーザが指示した内容を示す情報をタッチパネル３４から取得する。
【０１０１】
内部状態制御部１４’は、選択部１８が選択した提供可能な情報を、改札装置２’に提供すべく通信部２０に出力する。
【０１０２】
改札装置２’の制御部４２は、携帯端末装置１’から受信した個人情報を、第２の通信部４４、おのびネットワーク４を介して表示装置３に送信する。
【０１０３】
表示装置３の通信部６０は、改札装置２’、およびネットワーク４を介して、携帯端末装置１’から個人情報を受信する。
【０１０４】
表示部６２は、情報ディスプレイであり、ユーザに広告または案内を提示する。表示部６２は、表示制御装置５０に表示を制御される。
【０１０５】
表示制御装置５０は、取得部５２、および表示内容決定部５４を備えている。
【０１０６】
取得部５２は、通信部６０が受信した個人情報を取得する。
【０１０７】
表示内容決定部５４は、取得部５２が取得した個人情報に応じて、表示部６２に表示させる表示内容を決定する。さらに表示内容決定部５４は、取得部５２が所定の期間に取得した情報を集計した結果に応じて、表示部６２に表示する表示内容を決定してもよい。例えば、所定の期間に、取得部５２が、５台の携帯端末装置１’から、職業が学生であることを示す情報を取得した場合、表示内容決定部５４は、就職活動に関する情報を表示内容として決定する。また、所定の期間に、取得部５２が、５台の携帯端末装置１’から、性別が女性であることを示す情報を取得した場合、表示内容決定部５４は、グルメに関する情報を表示内容として決定する。また、所定の期間に、取得部５２が、５台の携帯端末装置１’から、地域設定が英語圏の地域であることを示す情報を取得した場合、表示内容決定部５４は、英語で情報を表示することを決定する。
【０１０８】
続いて、図１１を参照して、本実施形態に係る表示制御装置５０における表示制御を説明する。
【０１０９】
ステップＳ１１０において、取得部５２は、通信部６０、ネットワーク４、改札装置２’を介して、携帯端末装置１’から個人情報を取得する。
【０１１０】
ステップＳ１１２において、表示内容決定部５４は、表示内容を決定する。
【０１１１】
ステップＳ１１４において、表示内容決定部５４は、表示部６２の表示が変更するように制御する。
【０１１２】
図１２を参照して、携帯端末装置１’、および表示装置３の制御のシーケンスを説明する。
【０１１３】
ステップＳ１２０において、手続信号取得部１２は、入場手続きをしたことを内部状態制御部１４’に通知する。
【０１１４】
ステップＳ１２２において、内部状態制御部１４’は、改札装置２’、およびネットワーク４を介して、表示制御装置５０に、近辺に表示装置３があるかを問い合わせる。
【０１１５】
ステップＳ１２４において、表示制御装置５０は、表示装置３が携帯端末装置１’の近辺にある場合は、表示装置３があることを応答する。
【０１１６】
ステップＳ１２６において、内部状態制御部１４’は、改札装置２’、およびネットワーク４を介して、表示制御装置５０に、選択部１８が選択した提供可能な情報を提供する。
【０１１７】
ステップＳ１２８において、取得部５２は、提供された情報を取得し、表示内容決定部５４は、提供された情報を参照して表示内容を決定し、表示部６２の表示が変更するように制御する。
【０１１８】
本実施形態において、改札装置と表示装置とは別体であるが、改札装置が表示制御装置、および表示部を備えていてもよい。この場合、上記ステップＳ１２２およびステップＳ１２４は省略される。改札装置が表示部を備える場合、表示部の表示内容を見るのは、ゲートを通過している単一のユーザのみになるので、改札装置と表示装置とが別体である場合と比較してより個人的な情報を表示部は提供することができる。
【０１１９】
なお、上記実施形態において、携帯端末装置と情報を送受信する装置として、交通機関への乗降手続きまたは乗降車領域への入退場手続きを行う改札装置を例に挙げているが、携帯端末装置と情報を送受信する装置は、ゲートを備えた他の装置であってよい。例えば、病院、コンサート会場、スポーツ観戦場等に設けられるゲートを備えた装置であってよい。
【０１２０】
また、改札装置と情報を送受信する端末装置は、電話機能を備えない専用端末であってもよく、ＩＣカードであってもよい。
【０１２１】
〔ソフトウェアによる実現例〕
携帯端末装置１，１’の制御ブロック（特に手続信号取得部１２、内部状態制御部１４，１４’、内部状態管理部１６、および選択部１８）、ならびに表示制御装置５０の制御ブロック（取得部５２、および表示内容決定部５４）は、集積回路（ＩＣチップ）等に形成された論理回路（ハードウェア）によって実現してもよいし、ＣＰＵ（Central Processing Unit）を用いてソフトウェアによって実現してもよい。
【０１２２】
後者の場合、携帯端末装置１，１’の制御ブロック（特に手続信号取得部１２、内部状態制御部１４，１４’、内部状態管理部１６、および選択部１８）、ならびに表示制御装置５０の制御ブロック（取得部５２、および表示内容決定部５４）は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【０１２３】
〔まとめ〕
本発明の態様１に係る端末装置（携帯端末装置１，１’）は、受信部（通信部２０）と制御部１０とを備え、マナーモードのオンオフが設定可能な端末装置（携帯端末装置１，１’）であって、上記受信部（通信部２０）は、交通機関への乗車手続き又は乗降車領域への入場手続きを行った旨の信号である乗車信号を受信し、上記制御部１０は、上記受信部（通信部２０）が上記乗車信号を受信した場合に、当該端末装置（携帯端末装置１，１’）においてマナーモードがオンに設定されているのか否かを判定する第１の判定処理を行い、上記第１の判定処理において、マナーモードがオンに設定されていないと判定した場合に、マナーモードをオンの状態に設定する。
【０１２４】
上記の構成によれば、交通機関への乗降の手続きをきっかけとして、交通機関への乗車時の、端末装置の使用のマナーを向上させることができる。
【０１２５】
本発明の態様２に係る端末装置（携帯端末装置１，１’）は、上記態様１において、上記制御部１０は、上記第１の判定処理においてマナーモードがオンに設定されていると判定した場合に、マナーモードの状態を変更しなくてもよい。
【０１２６】
上記の構成によれば、不要な場合はマナーモードの状態を変更しない。
【０１２７】
本発明の態様３に係る端末装置（携帯端末装置１，１’）は、上記態様１または２において、上記受信部（通信部２０）は、交通機関からの降車手続き又は乗降車領域からの退場手続きを行った旨の信号である降車信号を受信し、上記制御部１０は、上記受信部（通信部２０）が上記降車信号を受信した場合に、当該端末装置（携帯端末装置１，１’）においてマナーモードがオンに設定されているのか否かを判定する第２の判定処理を行い、上記第２の判定処理において、マナーモードがオンに設定されていると判定した場合に、更に、当該交通機関への乗車手続き又は乗降車領域への入場手続きを行う前に、当該端末装置（携帯端末装置１，１’）においてマナーモードがオンに設定されているのか否かを判定する第３の判定処理を行い、上記第３の判定処理において、マナーモードがオンに設定されていなかったと判定した場合に、マナーモードをオフに設定してもよい。
【０１２８】
上記の構成によれば、交通機関からの降車をきっかけとして、端末装置（携帯端末装置１，１’）を通常の使用状態に戻すことができる。
【０１２９】
本発明の態様４に係る端末装置（携帯端末装置１，１’）は、受信部（通信部２０）と制御部１０とを備え、マナーモードのオンオフが設定可能な端末装置（携帯端末装置１，１’）であって、上記受信部（通信部２０）は、交通機関からの降車手続き又は乗降車領域からの退場手続きを行った旨の信号である降車信号を受信し、上記制御部１０は、上記受信部（通信部２０）が上記降車信号を受信した場合に、当該端末装置（携帯端末装置１，１’）においてマナーモードがオンに設定されているのか否かを判定する第１の判定処理を行い、上記第１の判定処理において、マナーモードがオンに設定されていると判定した場合に、更に、当該交通機関への乗車手続き又は乗降車領域への入場手続きを行う前に、当該端末装置（携帯端末装置１，１’）においてマナーモードがオンに設定されているのか否かを判定する第２の判定処理を行い、上記第２の判定処理において、マナーモードがオンに設定されていなかったと判定した場合に、マナーモードをオフに設定する。
【０１３０】
上記の構成によれば、交通機関からの降車をきっかけとして、端末装置（携帯端末装置１，１’）を通常の使用状態に戻すことができる。
【０１３１】
本発明の態様５に係る端末装置（携帯端末装置１，１’）は、上記態様４において、上記制御部１０は、上記第１の判定処理において、マナーモードがオンに設定されていないと判定した場合、又は上記第２の判定処理において、マナーモードがオンに設定されていたと判定した場合に、マナーモードの状態を変更しなくてもよい。
【０１３２】
上記の構成によれば、交通機関からの降車をきっかけとして、端末装置（携帯端末装置１，１’）を通常の使用状態に戻すことができる。
【０１３３】
本発明の態様６に係る端末装置（携帯端末装置１，１’）は、受信部（通信部２０）と制御部１０とを備え、マナーモードのオンオフが設定可能な端末装置（携帯端末装置１，１’）であって、上記制御部１０は、交通機関への乗降時に適応的にマナーモードを変更する第１のモード、及び交通機関への乗降時にマナーモードを変更しない第２のモードの何れかを選択し、上記第１のモードが選択された場合、上記受信部（通信部２０）が交通機関への乗車手続き又は乗降車領域への入場手続きを行った旨の信号である乗車信号を受信した場合に、当該端末装置（携帯端末装置１，１’）においてマナーモードがオンに設定されているのか否かを判定する第１の判定処理を行い、上記第１の判定処理において、マナーモードがオンに設定されていないと判定した場合に、マナーモードをオンの状態に設定する。
【０１３４】
上記の構成によれば、マナーモードの設定制御を選択することができる。
【０１３５】
本発明の態様７に係る端末装置（携帯端末装置１，１’）は、上記態様６において、上記制御部１０は、ユーザからの選択操作に応じて、上記第１のモード及び上記第２のモードの何れかを選択してもよい。
【０１３６】
上記の構成によれば、ユーザの選択により、マナーモードの設定制御を変更することができる。
【０１３７】
本発明の態様８に係る端末装置（携帯端末装置１，１’）は、上記態様６において、上記制御部１０は、当該端末装置（携帯端末装置１，１’）の位置情報を参照して、上記第１のモード及び上記第２のモードの何れかを選択してもよい。
【０１３８】
上記の構成によれば、場所に応じて、マナーモードの設定制御を変更することができる。
【０１３９】
本発明の態様９に係る端末装置（携帯端末装置１，１’）は、受信部（通信部２０）と制御部１０とを備え、マナーモードのオンオフが設定可能な端末装置（携帯端末装置１，１’）であって、上記制御部１０は、交通機関への乗降時に適応的にマナーモードを変更する第１のモード、及び交通機関への乗降時にマナーモードを変更しない第２のモードの何れかを選択し、上記第１のモードが選択された場合、上記受信部（通信部２０）が交通機関からの降車手続き又は乗降車領域からの退場手続きを行った旨の信号である降車信号を受信した場合に、当該端末装置（携帯端末装置１，１’）においてマナーモードがオンに設定されているのか否かを判定する第１の判定処理を行い、上記第１の判定処理において、マナーモードがオンに設定されていると判定した場合に、更に、当該交通機関への乗車手続き又は乗降車領域への入場手続きを行う前に、当該端末装置においてマナーモードがオンに設定されているのか否かを判定する第２の判定処理を行い、上記第２の判定処理において、マナーモードがオンに設定されていなかったと判定した場合に、マナーモードをオフに設定する。
【０１４０】
上記の構成によれば、マナーモードの設定制御を選択することができる。
【０１４１】
本発明の態様１０に係る端末装置（携帯端末装置１，１’）は、上記態様９において、上記制御部１０は、ユーザからの選択操作に応じて、上記第１のモード及び上記第２のモードの何れかを選択してもよい。
【０１４２】
上記の構成によれば、ユーザの選択により、マナーモードの設定制御を変更することができる。
【０１４３】
本発明の態様１１に係る端末装置（携帯端末装置１，１’）は、上記態様９において、上記制御部１０は、当該端末装置（携帯端末装置１，１’）の位置情報を参照して、上記第１のモード及び上記第２のモードの何れかを選択してもよい。
【０１４４】
上記の構成によれば、場所に応じて、マナーモードの設定制御を変更することができる。
【０１４５】
本発明の態様１２に係る表示制御装置５０は、端末装置（携帯端末装置１’）から、マナーモード、地域設定、年齢、職業、性別、及び住所の少なくとも何れかに関する情報を取得する取得部５２と、上記取得部５２が取得した情報に応じて、表示部６２に表示する表示内容を決定する表示内容決定部５４とを備えている。
【０１４６】
上記の構成によれば、交通機関のユーザに合った案内情報を提供できる。
【０１４７】
本発明の態様１３に係る表示制御装置５０は、交通機関への乗降手続きまたは乗降車領域への入退場手続きを行う手続装置（改札装置２’）から、当該乗降手続きまたは入退場手続きを行った端末装置（携帯端末装置１’）が保持する情報を取得する取得部５２と、上記取得部５２が取得した情報に応じて、表示部６２に表示する表示内容を決定する表示内容決定部５４とを備えている。
【０１４８】
上記の構成によれば、交通機関のユーザに合った案内情報を提供できる。
【０１４９】
本発明の態様１４に係る表示制御装置５０は、上記態様１２または１３において、上記表示内容決定部５４は、上記取得部５２が所定の期間に取得した情報を集計した結果に応じて、表示部６２に表示する表示内容を決定してもよい。
【０１５０】
上記の構成によれば、交通機関の複数のユーザに合った案内情報を提供できる。
【０１５１】
本発明の態様１５に係る端末装置（携帯端末装置１’）は、交通機関への乗降手続きまたは乗降車領域への入退場手続きを行う手続装置（改札装置２’）に対して、当該端末装置（携帯端末装置１’）が保持する情報のうち、提供可能な情報を、ユーザからの指示に応じて選択する選択部１８と、上記選択部１８が選択した提供可能な情報を、上記手続装置（改札装置２’）に提供する提供部（内部状態制御部１４’）とを備えている。
【０１５２】
上記の構成によれば、交通機関のユーザに合った案内情報を受け取ることができる。
【０１５３】
本発明の各態様に係る端末装置（携帯端末装置１，１’）、および表示制御装置５０は、コンピュータによって実現してもよく、この場合には、コンピュータを上記端末装置（携帯端末装置１，１’）、および表示制御装置５０が備える各部（ソフトウェア要素）として動作させることにより上記端末装置（携帯端末装置１，１’）、および表示制御装置５０をコンピュータにて実現させる端末装置（携帯端末装置１，１’）の制御プログラム、および表示制御装置５０の表示制御プログラム、ならびにそれを記録したコンピュータ読み取り可能な記録媒体も本発明の範疇に入る。
【０１５４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１５５】
１，１’  携帯端末装置（端末装置）
２，２’  改札装置（手続装置）
１０，１０’  制御部
１４’  内部状態制御部（提供部）
１８  選択部
２０  通信部（受信部）
５０  表示制御装置
５２  取得部
５４  表示内容決定部
６２  表示部
【図１】
2018129687.tif 000003
【図２】
2018129687.tif 000004
【図３】
2018129687.tif 000005
【図４】
2018129687.tif 000006
【図５】
2018129687.tif 000007
【図６】
2018129687.tif 000008
【図７】
2018129687.tif 000009
【図８】
2018129687.tif 000010
【図９】
2018129687.tif 000011
【図１０】
2018129687.tif 000012
【図１１】
2018129687.tif 000013
【図１２】
2018129687.tif 000014